(57)【特許請求の範囲】
【請求項１】
下部外周部にまき締め溝が形成された内筒部材の外周部を覆う筒部材の前記まき締め溝と対応する部位に少なくとも１個以上の舌片が形成される切欠部を形成し、該舌片が形成される切欠部で形成された舌片の先端部が前記まき締め溝内に入り込むようにまき締め刃によってまき締めすることを特徴とする口紅等の収納容器の筒部材のまき締め方法。
【請求項２】
下部外周部にまき締め溝が形成された内筒部材の外周部を覆う筒部材の前記まき締め溝と対応する部位にまき締め刃および該まき締め刃の軸心と同一軸心でまき締め刃で最適なまき締めをしたところで筒部材の外表面に表示キズをつけることができるインジケータ用刃を用いて筒部材のまき締めを行なうことを特徴とする口紅等の収納容器の筒部材のまき締め方法。
【請求項３】
まき締め溝が形成された嵌合部材のまき締め溝部の外周部を覆う筒部材部位に少なくとも１個以上の舌片が形成される切欠部を形成し、該舌片が形成される切欠部で形成された舌片の先端部が前記まき締め溝内に入り込むようにまき締め刃によってまき締めすることを特徴とする口紅等の収納容器の筒部材のまき締め方法。
【請求項４】
まき締め溝が形成された嵌合部材のまき締め溝部の外周部を覆う筒部材の前記まき締め溝と対応する部位にまき締め刃および該まき締め刃の軸心と同一軸心でまき締め刃で最適なまき締めをしたところで筒部材の外表面に表示キズをつけることができるインジケータ用刃を用いて筒部材のまき締めを行なうことを特徴とする口紅等の収納容器の筒部材のまき締め方法。
【請求項５】
下部外周部にまき締め溝が形成された内筒部材と、この内筒部材の外周部を覆う前記まき締め溝と対応する部位に少なくとも１個以上の舌片が形成される切欠部を形成した筒部材と、この筒部材の舌片が形成される切欠部で形成された舌片の先端部が前記まき締め溝内に入り込むように形成されたまき締めと、前記内筒部材内に上下移動可能に取付けられた口紅等を支持する皿部材と、前記内筒部材と前記筒部材とを回動させることによって前記皿部材を上下移動させる上下移動機構とを備えることを特徴とする口紅等の収納容器。
【請求項６】
外周部にまき締め溝が形成された嵌合部材と、この嵌合部材のまき締め溝の外周部を覆う前記まき締め溝と対応する部位に少なくとも１個以上の舌片が形成される切欠部を形成した筒部材と、この筒部材の舌片が形成される切欠部で形成された舌片の先端部が前記まき締め溝内に入り込むように形成されたまき締めと、前記筒部材内に上下移動可能に取付けられた口紅等を支持する皿部材と、前記嵌合部材と前記筒部材とを回動させることによって前記皿部材を上下移動させる上下移動機構とを備えることを特徴とする口紅等の収納容器。
【発明の詳細な説明】
【０００１】
【発明の属する技術分野】
本発明は口紅、リップクリーム、スチックアイシャドウ、スチックファンデーション等の棒状化粧品を収納する口紅等の収納容器の筒部材のまき締め方法および口紅等の収納容器に関する。
【０００２】
【従来の技術】
従来の口紅収納容器は内筒部材と外筒部材とを回動可能で抜け脱不能に取付けるために内筒部材の下部外周部にまき締め溝を形成し、該まき締め溝内に外筒部材の下端部をまき締め刃を押し付けてまき締めを行なっている。
【０００３】
【発明が解決しようとする課題】
従来の内筒部材と外筒部材との回動可能で抜け脱不能に取付けるまき締め方法では作業者のまき締め刃の押し込み量にバラつきが生じ、回動不能になったり、あるいは抜け脱して分解してしまうという欠点があった。
【０００４】
本発明は以上のような従来の欠点に鑑み、熟練者でなくても回動可能で、抜け脱不能なまき締めを行なうことができ、不良品の発生を低減することができる口紅等の収納容器の筒部材のまき締め方法および口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は下部外周部にまき締め溝が形成された内筒部材の外周部を覆う筒部材の前記まき締め溝と対応する部位に少なくとも１個以上の舌片が形成される切欠部を形成し、該舌片が形成される切欠部で形成された舌片の先端部が前記まき締め溝内に入り込むようにまき締め刃によってまき締めすることで口紅等の収納容器の筒部材のまき締め方法を行なう。
【０００７】
また、本発明は下部外周部にまき締め溝が形成された内筒部材と、この内筒部材の外周部を覆う前記まき締め溝と対応する部位に少なくとも１個以上の舌片が形成される切欠部を形成した筒部材と、この筒部材の舌片が形成される切欠部で形成された舌片の先端部が前記まき締め溝内に入り込むように形成されたまき締めと、前記内筒部材内に上下移動可能に取付けられた口紅等を支持する皿部材と、前記内筒部材と前記筒部材とを回動させることによって前記皿部材を上下移動させる上下移動機構とで口紅等の収納容器を構成している。
【０００８】
【発明の実施の形態】
以下、図面に示す実施の形態により、本発明を詳細に説明する。
【０００９】
図１ないし図６の本発明の第１の実施の形態において、１はハカマ部材で、このハカマ部材１は有底筒状のハカマ部材本体２と、このハカマ部材本体２の上部に嵌合固定された該ハカマ部材本体２の上端部より上方に突出する外周部にキャップ嵌合部３が形成されたキャップ嵌合部材４とで構成されている。
【００１０】
５は下端部が前記ハカマ部材１の内底部に嵌合固定される内筒部材で、この内筒部材５は図３に示すように筒状の内筒部材本体６と、この内筒部材本体６の下端部と一体成形された前記ハカマ部材１の内底部と嵌合固定される嵌合部７と、この嵌合部７と前記内筒部材本体６の下端部との間の外周部に形成されたまき締め溝８と、上下移動機構の一部を構成する前記内筒部材本体６に形成された軸心方向の切欠部９とで構成されている。
【００１１】
１０は前記内筒部材５内に上下移動可能に取付けられた口紅１１を支持する皿部材で、この皿部材１０の外周部には上下移動機構の一部を構成する前記内筒部材５の切欠部９と係合する係合ピン１２が形成されている。
【００１２】
１３は前記内筒部材５の内筒部材本体６の外周部を回動可能に覆う上下移動機構の一部を構成する螺旋部材で、この螺旋部材１３には前記係合ピン１２と係合する螺旋溝１４が形成されている。
【００１３】
１５は図４に示すように前記螺旋部材１３の外周部を覆う筒部材で、この筒部材１５の下端部の前記内筒部材５のまき締め溝８と対応するまき締め部１６には少なくとも１個以上、本実施の形態では２個のチャンネル状、逆Ｕ字状、Ｍ字状等、本実施の形態ではチャンネル状に形成された舌片が形成される切欠部１７、１７が形成されている。
このように形成された筒部材１５は皿部材１０や螺旋部材１３が組付けられた内筒部材５にセットされ、図５に示すようにまき締め刃１８を用いて、前記舌片が形成される切欠部１７、１７で形成された舌片１９、１９の先端部が、図６に示すようにまき締め溝８内へ入り込むようにまき締めされて、内筒部材５に回動可能で抜け脱不能に取付けられる。
【００１４】
２０は前記筒部材１５の上部を覆う前記キャップ嵌合部３に着脱可能に嵌合されるキャップである。
【００１５】
上記構成の口紅収納容器２１は従来と同様にハカマ部材１と筒部材１５とを持って回動させることにより、皿部材１０が上下移動し、筒部材１５の上端部より口紅１１を出没させることができる。
また、内筒部材５と筒部材１５との組付け時のまき締めでは、まき締めが弱くても舌片１９、１９の先端部のまき締め溝８内へ入り込むため、抜け脱するのを確実に防止することができる。
【００１６】
【発明の異なる実施の形態】
次に、図７ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図７ないし図１０の本発明の第２の実施の形態において、前記本発明の第１の実施の形態と主に異なる点は、内筒部材５Ａの内筒部材本体６に上下移動機構の一部を構成する螺旋溝１４を形成するとともに、筒部材１５Ａの内壁面に上下移動機構の一部を構成する皿部材１０の係合ピン１２と係合する軸心方向の縦溝２２を形成した点で、このように構成された内筒部材５Ａ、筒部材１５Ａを用いて構成した口紅収納容器２１Ａにしても、前記本発明の第１の実施の形態と同様な作用効果が得られる。
【００１８】
図１１ないし図１３の本発明の第３の実施の形態において、前記本発明の第１の実施の形態と主に異なる点は、皿部材１０、螺旋部材１３がセットされた内筒部材５に筒部材１５Ｂを組付け、図１２に示すようにまき締め刃１８の軸心と同一軸心で該まき締め刃１８で最適なまき締めをしたところで筒部材１５Ｂのまき締め部１６の外表面に表示キズ２３をつけることができるインジケータ用刃２４を用いたまき締め装置２５を用いてまき締めした点で、このようにまき締めすることにより、まき締めが弱かった場合には筒部材１５Ｂのまき締め部１６の外表面に表示キズがつかず、まき締めの弱さを判断することができ、大きな表示キズがつくと、まき締めのしすぎで回動不能になっている可能性の判断を行なうことができる。このようにまき締めされた筒部材１５Ｂを用いて口紅収納容器２１Ｂを構成しても、前記本発明の第１の実施の形態と同様な作用効果が得られる。
【００１９】
図１４ないし図１６の本発明の第４の実施の形態において、前記本発明の第１の実施の形態と主に異なる点は、まき締め溝８が形成された嵌合部材２６と、この嵌合部材２６にチャンネル状の切欠部１７、１７を形成した筒部材１５Ｃをまき締めするとともに、上下移動機構として前記嵌合部材２６に一体成形されたねじ棒２７と、このねじ棒２７と螺合される皿部材１０Ａと、この皿部材１０Ａに形成された係合ピン１２、１２と係合するハカマ部材１内に位置する部位の前記筒部材１５Ｃに形成された軸心方向の切欠部９、９とで構成したものを用いた点で、このように構成された口紅収納容器２１Ｃにしても、前記本発明の第１の実施の形態と同様な作用効果が得られる。
【００２０】
図１７および図１８の本発明の第５の実施の形態において、前記本発明の第４の実施の形態と主に異なる点は、筒部材１５Ｄのまき締め部１６を前記第３の実施の形態で用いたまき締め装置２５を用いて行なった点で、このように構成した口紅収納容器２１Ｄにしても、前記本発明の第４の実施の形態と同様な作用効果が得られる。
【００２１】
なお、前記本発明の各実施の形態では口紅収納容器について説明したが、本発明はこれに限らず、皿部材にリップクリーム、スチックアイシャドウ、スチックファンデーション等の棒状化粧品を支持させても同様に使用することができる。
【００２２】
また、本発明の各実施の形態で用いた上下移動機構以外にハカマ部材と筒部材とを持って回動させることにより、皿部材を上下移動させることができる従来から使用されている機構であれば、どんな上下移動機構を用いてもよい。
【００２３】
【発明の効果】
以上の説明から明らかなように、本発明にあっては次に列挙する効果が得られる。
【００２４】
（１）下部外周部にまき締め溝が形成された内筒部材の外周部を覆う筒部材の前記まき締め溝と対応する部位に少なくとも１個以上の舌片が形成される切欠部を形成し、該舌片が形成される切欠部で形成された舌片の先端部が前記まき締め溝内に入り込むようにまき締め刃によってまき締めしているので、まき締めが弱くても、舌片の先端部がまき締め溝内に入り込ませることができる。
したがって、内筒部材と筒部材との抜け脱を確実に防止することができるとともに、熟練者でなくてもまき締め作業を確実に行なうことができる。
【００２５】
（２）前記（１）によって、まき締めによる不良品の発生を低減できるので、製造コストの低減を図ることができる。
【００２６】
（３）前記（１）によって、筒部材にチャンネル状の切欠部を形成するだけであるので、従来と同様の部品点数でよく、加工も容易に行なうことができる。
【００２７】
（４）請求項２〜６も前記（１）〜（３）と同様な効果が得られる。
【図面の簡単な説明】
【図１】本発明の第１の実施の形態の断面図。
【図２】本発明の第１の実施の形態の一部破断正面図。
【図３】本発明の第１の実施の形態の内筒部材の説明図。
【図４】本発明の第１の実施の形態の筒部材の説明図。
【図５】本発明の第１の実施の形態の筒部材のまき締め作業の説明図。
【図６】内筒部材と筒部材とをまき締めした状態の一部破断面図。
【図７】本発明の第２の実施の形態の断面図。
【図８】本発明の第２の実施の形態の内筒部材の説明図。
【図９】本発明の第２の実施の形態の筒部材の説明図。
【図１０】内筒部材と筒部材とをまき締めした状態の一部破断面図。
【図１１】本発明の第３の実施の形態の断面図。
【図１２】本発明の第３の実施の形態の筒部材のまき締め作業の説明図。
【図１３】内筒部材と筒部材とをまき締めした状態の一部破断面図。
【図１４】本発明の第４の実施の形態の断面図。
【図１５】本発明の第４の実施の形態の嵌合部材の説明図。
【図１６】嵌合部材と筒部材とのまき締めした状態の一部破断面図。
【図１７】本発明の第５の実施の形態の断面図。
【図１８】嵌合部材と筒部材とのまき締めした状態の一部破断面図。
【符号の説明】
１：ハカマ部材、
２：ハカマ部材本体、
３：キャップ嵌合部、
４：キャップ嵌合部材、
５、５Ａ：内筒部材、
６：内筒部材本体、
７：嵌合部、
８：まき締め溝、
９：切欠部、
１０、１０Ａ：皿部材、
１１：口紅、
１２：係合ピン、
１３：螺旋部材、
１４：螺旋溝、
１５、１５Ａ、１５Ｂ、１５Ｃ、１５Ｄ：筒部材、
１６：まき締め部、
１７：チャンネル状の切欠部、
１８：まき締め刃、
１９：舌片、
２０：キャップ、
２１、２１Ａ、２１Ｂ、２１Ｃ、２１Ｄ：口紅収納容器、
２２：縦溝、
２３：表示キズ、
２４：インジケータ用刃、
２５：まき締め装置、
２６：嵌合部材、
２７：ねじ棒。
【図１】
0003773292.tif 000002
【図２】
0003773292.tif 000003
【図３】
0003773292.tif 000004
【図４】
0003773292.tif 000005
【図５】
0003773292.tif 000006
【図６】
0003773292.tif 000007
【図７】
0003773292.tif 000008
【図８】
0003773292.tif 000009
【図９】
0003773292.tif 000010
【図１０】
0003773292.tif 000011
【図１１】
0003773292.tif 000012
【図１２】
0003773292.tif 000013
【図１３】
0003773292.tif 000014
【図１４】
0003773292.tif 000015
【図１５】
0003773292.tif 000016
【図１６】
0003773292.tif 000017
【図１７】
0003773292.tif 000018
【図１８】
0003773292.tif 000019